(57)【要約】【課題】  できるだけコードにより患者が締め付けられた場合にのみ、医療従事者を呼び出すようにすることを目的とする。【解決手段】  外部からの圧力を検知した検知信号を、外部から圧力を検知した位置を示す位置情報とともにセンサ部１３にて出力する。そして、センサ部１３が外部からの圧力を検知した場所の範囲が医療従事者を呼び出すと判断する範囲内であると判定部１９にて判断した場合に、呼出信号を生成して出力するようにしている。これにより、ナースコール子機１は、できるだけコード部１１により自身が締め付けられた場合にのみ医療従事者を呼び出すことができる。従って、医療従事者が無駄に呼び出されることはなくなり、医療従事者の業務効率を向上させることができる。【選択図】        図１
2009178402.tif 000002
【特許請求の範囲】
【請求項１】
患者が医療従事者を呼び出すために操作する操作部を備えた操作ユニットと、
前記操作部が操作されたことを前記医療従事者へ伝達するために、前記操作ユニットを室内の所定の場所に接続するとともに柔軟な被覆体を有するコード部と、
前記コード部の内部に長手方向に連続して設けられ、外部からの圧力を検知した検知信号を、前記外部から圧力を検知した位置を示す位置情報とともに出力するセンサ部と、
前記センサ部から出力された前記位置情報を入力し、前記位置情報によって特定される場所の範囲を求める範囲演算部と、
前記範囲演算部が求めた前記範囲が所定の範囲内であるか否かを判定する判定部と、
前記操作部が操作された場合または前記範囲が前記所定の範囲内であると前記判定部にて判断した場合に、前記医療従事者を呼び出すための呼出信号を生成して出力する制御部と、
を具備することを特徴とするナースコール子機。
【発明の詳細な説明】
【技術分野】
【０００１】
本発明は、病院などで看護師などの医療従事者を呼び出すために患者が使用するナースコール子機に関する。
【背景技術】
【０００２】
従来、ナースコールシステムでは、病室内の患者の近辺（例えば、ベッド近傍など）に設置されたナースコール子機と、看護師などの医療従事者のいる部屋（例えば、スタッフルームなど）に設置されたナースコール親機とを有線などにより接続している。
【０００３】
ナースコール子機は、ベッドサイドの壁面に設置されているウォールユニットに接続されている。また、ナースコール子機は、患者が操作するための操作ボタンを備えた操作ユニットと、操作ユニットおよびウォールユニットを接続するためのコードとを備えて構成されている。ウォールユニットは、コードを接続するためのコンセントを備えている。コードは、操作ボタンの操作をウォールユニットへ伝達しており、患者がベッド上の様々な場所で操作ユニットを操作することができるようにある程度の長さを有している。
【０００４】
ところで、医療従事者や患者の付添人、見舞人など（以下、単に医療従事者とする）は、患者が操作しやすい位置（例えば、利き腕側など）にナースコール子機の操作ユニットを移動させることがあるが、操作ユニットの移動によりコードが患者に絡み付いてしまうことがあった。また、患者が寝返りなどを行うと、操作ユニットの置いてある場所によっては、コードが患者に絡み付いてしまうことがあった。コードが患者に絡み付いてしまうと、自力で体を動かすことができる患者は、絡み付いたコードを自力で取り除くことができるが、体の不自由な患者は、絡み付いたコードを自力で取り除くことができず、医療従事者にコードを取り除いてもらう必要があった。コードが患者に絡み付いたままの状態で、患者が操作ユニットを引っ張ると、患者は、絡み付いたコードにより締め付けられてしまう。このとき、締め付けられる場所によっては、生命に影響を及ぼしてしまうことが考えられる。
【０００５】
ところで、ナースコール子機が引っ張られた場合に、医療従事者を呼び出すことができるナースコール装置が知られている（例えば、特許文献１を参照）。特許文献１に記載のナースコール装置では、ウォールユニットとコードを介して連結した操作ユニットが一定値以上の張力で引っ張られ、コードがある一定の長さ以上に伸びるとセンサが検知し、ウォールユニットの警告音報知回路を動作させて警告音を発報するようにしている。
【特許文献１】特開２００３−２５９０１６号公報
【０００６】
しかしながら、特許文献１に記載のナースコール装置では、コードが患者に絡み付いてしまっている状態で患者が操作ユニットを引っ張った場合、患者がコードの上に乗っているなどの理由によってコード全体に張力が正しく伝わり難くなる可能性がある。そのため、患者が操作ユニットを引っ張った張力が一定の長さ以上にコードを伸ばすようなものであっても、センサがコードの伸びを正確に検知することができず、特許文献１に記載のナースコール装置は、警告音を発報させることができなくなる可能性があった。
【０００７】
一方、コードが外部から圧力を受けた場合に、医療従事者を呼び出すことができるナースコール呼び出し装置が知られている（例えば、特許文献２を参照）。特許文献２に記載のナースコール呼び出し装置では、外部からの圧力が加えられた場合に、第一の導体と第二の導体とが絶縁物の孔を通じて接触することにより電気的に導通し、ナースコール呼び出しがあったことをナースコール親機側へ伝えるようにしている。
【特許文献２】特開２００７−３５４８７号公報
【０００８】
しかしながら、特許文献２に記載のナースコール呼び出し装置では、コードによって患者が締め付けられた場合だけでなく、患者がコードの上に乗った場合やコードを束ねて紐などにより縛った場合などでもコードが外部からの圧力を受けるので、コードによって患者が締め付けられた場合以外でもナースコール呼び出しがあったことをナースコール親機側へ伝えてしまうという問題があった。
【発明の開示】
【発明が解決しようとする課題】
【０００９】
本発明は、このような問題を解決するために成されたものであり、できるだけコードにより患者が締め付けられた場合にのみ、医療従事者を呼び出すようにすることを目的とする。
【課題を解決するための手段】
【００１０】
上述した課題を解決するために、本発明のナースコール子機では、外部からの圧力を検知した検知信号を、外部から圧力を検知した位置を示す位置情報とともにセンサ部にて出力する。そして、位置情報によって特定される外部から圧力を検知した範囲が所定の範囲内であると判定部にて判断した場合に、呼出信号を生成して出力するようにしている。
【発明の効果】
【００１１】
上記のように構成した本発明によれば、患者が締め付けられるであろう体の部位の外周の長さの範囲内に所定の範囲を記憶しておけば、外部から圧力を検知した範囲が予め記憶しておいた所定の範囲内である場合に呼出信号が出力されるので、コードによって患者が締め付けられた場合に、医療従事者を呼び出すことができる。これにより、ナースコール子機は、できるだけコードにより自身が締め付けられた場合にのみ医療従事者を呼び出すことができる。従って、医療従事者が無駄に呼び出されることはなくなり、医療従事者の業務効率を向上させることができる。
【発明を実施するための最良の形態】
【００１２】
以下、本発明の一実施形態を図面に基づいて説明する。本実施形態によるナースコール子機１を含むナースコールシステムのブロック図を図１に示す。同図に示すように、ナースコールシステムは、ナースコール子機１、ウォールユニット２、ナースコール親機３を備えて構成されている。
【００１３】
また、ナースコール子機１は、コード部１１、操作ユニット１２を備えて構成されている。また、コード部１１は、複数のセンサ部１３を備えて構成されている。また、操作ユニット１２は、子機用制御部１４（特許請求の範囲の制御部に該当）、操作部１５、記憶部１６、子機用インタフェース（以下、Ｉ／Ｆとする）部１７、範囲演算部１８、判定部１９を備えて構成されている。また、ナースコール親機３は、親機用制御部３１、親機用インタフェース（以下、Ｉ／Ｆとする）部３２、報知部３３を備えて構成されている。
【００１４】
図１において、コード部１１は、病室のベッド上の様々な場所などで患者が操作ユニット１２を操作することができるように、ある程度の長さを有している。操作ユニット１２は、コード部１１に接続されており、コード部１１を介してウォールユニット２に接続されている。また、ウォールユニット２は、ベッドサイドの壁面に設置されており、図示しない通信線を介してナースコール親機３に接続されている。また、ナースコール親機３は、医療従事者の居る部屋（例えば、スタッフルームなど）に設置されており、患者からの呼び出しやコード部１１により患者の体が締め付けられたことを示す呼び出しに応答するためのものである。ここで、ナースコール親機３には、複数のナースコール子機１が接続されている。また、ウォールユニット２とナースコール親機３との間には、図示しない廊下灯が設置されている。廊下灯は、自装置に設けた表示灯を点灯または点滅させ、ナースコール子機１による呼び出しを報知する。
【００１５】
センサ部１３は、コード部１１の内部の長手方向に連続して設けられ、コード部１１が受けた外部からの圧力を検知するものである。コード部１１が外部からの圧力を受けると、圧力を受けた場所に設けられているセンサ部１３は圧力を検知し、それを示す検知信号を出力する。ここで、センサ部１３は、コード部１１において圧力を受けた場所を範囲演算部１８が識別することができるように、自装置が配置されている位置を示す位置情報を持っている。また、センサ部１３は、検知信号を出力する際に、自装置の位置情報も併せて出力する。
【００１６】
図２は、コード部１１の長手方向の断面例を示す図である。同図に示すように、コード部１１の表面は、外部からの圧力を受けても耐えられるようなポリエチレン樹脂などの柔軟な被覆体Ｓで形成されている。また、コード部１１は、その内部に芯線Ｌを中心に設け、コード部１１の長手方向に連続して配置される複数のセンサ部１３を芯線Ｌの周囲に設けて構成されている。
【００１７】
芯線Ｌは、患者が操作ユニット１２を操作してナースコール親機３を使用している医療従事者を呼び出すための呼出信号、医療従事者がナースコール親機３を操作して操作ユニット１２を使用している患者を呼び出すための親機呼出信号、および患者と医療従事者とが操作ユニット１２とナースコール親機３とを使用して通話するための通話信号を伝送するものである。また、センサ部１３は、外部からの圧力を検知し、検知することによって検知信号を出力するものである。また、センサ部１３のそれぞれには、位置Ｎｏ．１、２・・・ｎ（ｎは１以上の自然数）といった位置情報が割り振られている。センサ部１３は、この位置Ｎｏ．を位置情報として検知信号とともに出力する。
【００１８】
図３は、本実施形態のコード部１１が患者に絡み付いている状態例を示す図である。同図に示すように、コード部１１は患者の胸部付近の周囲に絡み付いている。この状態において、患者が操作ユニット１２を操作するために操作ユニット１２を引っ張ったり、患者が患者自身の体を動かしたりすると、患者の胸部付近の周囲に絡み付いているコード部１１も同時に引っ張られる。さらに、コード部１１が引っ張られると、患者の胸部付近の周囲が締め付けられる。そして、締め付けられている部分に配置されているセンサ部１３は圧力を検知する。
【００１９】
図４は、本実施形態のコード部１１が圧力を受ける範囲の例を示す図である。また、同図は、コード部１１により囲まれた略円形の部分は患者の胸部の断面である。同図（ａ）は、患者がベッドに起きあがっている状態で操作ユニット１２が引っ張られた状態を示す図であり、コード部１１は、患者の胸部の周囲全体に亘って圧力を受ける。この場合、センサ部１３が圧力を検知した範囲（開始区間をＣｓ、終了区間をＣｅとする）は、コード部１１全体のうち、ウォールユニット２へ延びるコード部１１と操作ユニット１２へ延びるコード部１１とが交差する場所（以下、交差場所とする）Ｃｃから患者の胸部の周囲を通って再び交差場所Ｃｃまでである（すなわち、コード部１１全体のうち、交差場所Ｃｃが開始区間Ｃｓおよび終了区間Ｃｅに相当する）。そして、開始区間Ｃｓから終了区間Ｃｅまでの範囲に配置されているセンサ部１３は、自装置の位置情報とともに検知信号を生成して出力する。
【００２０】
また、同図（ｂ）は、患者がベッドに横たわっている状態で操作ユニット１２が引っ張られた状態を示す図であり、コード部１１は、患者とベッドとの接地面から交差場所Ｃｃに亘って圧力を受ける。ここで、患者がベッドに横たわっている場合、患者の胸部付近の周囲に絡み付いているコード部１１は、患者とベッドとの接地面を境に、操作ユニット１２に接続されている側のコード部（以下、操作ユニット側コード部１１ａとする）とウォールユニット２に接続されている側のコード部（以下、ウォールユニット側コード部１１ｂ）とに分けることができる。同図（ｂ）の場合、センサ部１３は、コード部１１全体のうち、操作ユニット側コード部１１ａの締め付けによって生じる圧力と、患者とベッドとの接地面に生じる患者の重みによる圧力とを検知する。よって、センサ部１３が圧力を検知した範囲の開始区間Ｃｓは接地面とウォールユニット側コード部１１ｂとの境目であり、終了区間Ｃｅは交差場所Ｃｃである。そして、開始区間Ｃｓから終了区間Ｃｅまでの範囲に配置されているセンサ部１３は、自装置の位置情報とともに検知信号を生成して出力する。ここで、操作ユニット１２が固定されている場合に、患者がベッドに横たわったままウォールユニット２の方向へ動くと、センサ部１３が圧力を検知した範囲の開始区間Ｃｓおよび終了区間Ｃｅは、同図（ｂ）と同様となる。
【００２１】
また、同図（ｃ）は、患者がベッドに横たわったまま操作ユニット１２の方向へ動いた状態を示す図であり、コード部１１は、交差場所Ｃｃから患者とベッドとの接地面に亘って圧力を受ける。この場合、センサ部１３は、コード部１１全体のうち、ウォールユニット側コード部１１ｂの締め付けによって生じる圧力と、患者とベッドとの接地面に生じる患者の重みによる圧力とを検知する。よって、センサ部１３が圧力を検知した範囲の開始区間Ｃｓは交差場所Ｃｃであり、終了区間Ｃｅは接地面と操作ユニット側コード部１１ａとの境目である。そして、開始区間Ｃｓから終了区間Ｃｅまでの範囲に配置されているセンサ部１３は、自装置の位置情報とともに検知信号を生成して出力する。
【００２２】
子機用制御部１４は、ナースコール子機１の各構成要素を後述するように制御する。また、子機用制御部１４は、医療従事者を呼び出すための呼出信号を生成し、外部へ出力する。操作部１５は、患者により医療従事者を呼び出すために操作するものである。ここで、操作部１５は、ボタンなどにより構成されている。患者により操作部１５が操作されると、子機用制御部１４は、呼出信号を生成して外部へ出力する。
【００２３】
記憶部１６は、医療従事者を呼び出すか否かを判定するための範囲情報を予め記憶しておくものである。具体的には、医療従事者は、図示しない入力部を使用して患者の首周りや胸部付近の周囲などの長さ（すなわち、図４（ａ）〜（ｃ）に示す開始区間Ｃｓから終了区間Ｃｅまでの範囲）情報を記憶部１６に予め記憶しておく。
【００２４】
子機用Ｉ／Ｆ部１７は、操作ユニット１２がセンサ部１３との間で通信するためにコード部１１に接続されている。また、子機用Ｉ／Ｆ部１７は、操作ユニット１２がナースコール親機３との間で通信するためにウォールユニット２を介して親機用Ｉ／Ｆ部３２に接続されている。また、子機用Ｉ／Ｆ部１７は、センサ部１３から出力された検知信号および位置情報を入力する。
【００２５】
範囲演算部１８は、子機用Ｉ／Ｆ部１７にて入力した位置情報から、センサ部１３が外部からの圧力を検知した場所の範囲を求める。具体的には、子機用Ｉ／Ｆ部１７がセンサ部１３から出力された検知信号を入力したと子機用制御部１４にて判断した場合には、子機用制御部１４は範囲演算部１８を動作させる。これに伴い、範囲演算部１８は、子機用Ｉ／Ｆ部１７にて入力した位置情報を取得し、取得した位置情報のうち、最も操作ユニット１２寄りの場所に位置するセンサ部１３の位置、およびその位置から一番遠い場所に位置するセンサ部１３の位置（すなわち、開始区間Ｃｓに配置されているセンサ部１３の位置、および終了区間Ｃｅに配置されているセンサ部１３の位置）を求める。そして、範囲演算部１８は、それらの位置からセンサ部１３が外部からの圧力を検知した場所の範囲（すなわち、開始区間Ｃｓから終了区間Ｃｅまでの区間の範囲）情報を求める。
【００２６】
判定部１９は、患者により操作部１５が操作されたか否かを判定するとともに、範囲演算部１８が求めた範囲情報と記憶部１６に予め記憶しておいた範囲情報と比較し、センサ部１３が外部からの圧力を検知した場所の範囲が医療従事者を呼び出すと判断する範囲内であるか否かを判定する。患者により操作部１５が操作されていないと判定部１９にて判断した場合、または、圧力を検知した範囲が医療従事者を呼び出すと判断する範囲内ではない（すなわち、コード部１１が患者の体を締め付けていない）と判定部１９にて判断した場合には、子機用制御部１４は、センサ部１３を引き続き制御して、コード部１１が受けた外部からの圧力を検知する。また、子機用制御部１４は、判定部１９を引き続き制御して、患者により操作部１５が操作されたか否かを判定するとともに、範囲演算部１８にて求めた範囲情報と記憶部１６に予め記憶しておいた範囲情報と比較し、センサ部１３が外部からの圧力を検知した場所の範囲が医療従事者を呼び出すと判断する範囲内であるか否かを判定する。一方、患者により操作部１５が操作されたと判定部１９にて判断した場合、または、圧力を検知した範囲が医療従事者を呼び出すと判断する範囲内である（すなわち、コード部１１が患者の体を締め付けている）と判定部１９にて判断した場合には、子機用制御部１４は、医療従事者を呼び出すための呼出信号を生成して出力する。
【００２７】
つまり、判定部１９は、操作部１５が操作されたか否かを判定するとともに、範囲演算部１８が求めた開始区間Ｃｓから終了区間Ｃｅまでの範囲と記憶部１６に予め記憶しておいた範囲と比較し、センサ部１３が外部からの圧力を検知した場所の範囲が医療従事者を呼び出すと判断する範囲内であるか否かを判定する。
【００２８】
親機用制御部３１は、ナースコール親機３の各構成要素を後述するように制御する。また、親機用制御部３１は、ナースコール子機１の子機用制御部１４から出力された呼出信号を親機用Ｉ／Ｆ部３２により受信する。親機用Ｉ／Ｆ部３２は、ナースコール親機３がナースコール子機１の操作ユニット１２との間で通信するために、ウォールユニット２を介して子機用Ｉ／Ｆ部１７に接続されている。報知部３３は、スピーカや表示ディスプレイ、表示灯などにより構成されている。ナースコール子機１から呼び出しがあると、換言すると、子機用制御部１４から出力された呼出信号を受信したと親機用制御部３１にて判断した場合には、報知部３３は、スピーカから呼び出し音を出力したり、表示ディスプレイに呼び出し表示を行ったり、表示灯を点灯または点滅させたりして呼び出しを報知する。
【００２９】
次に、本実施形態によるナースコール子機１の動作を説明する。図５は、本実施形態によるナースコール子機１の動作を示すフローチャートである。同図に示すように、医療従事者により記憶操作が行われたか否かを子機用制御部１４にて判定する（ステップ５０１）。医療従事者により記憶操作が行われていないと子機用制御部１４にて判断した場合には（ステップ５０１にてＮＯ）、子機用制御部１４は、設定値（すなわち、医療従事者を呼び出すか否かを判定するための範囲情報）が記憶部１６に記憶されているか否かを判定する（ステップ５０２）。設定値が記憶部１６に記憶されていないと子機用制御部１４にて判断した場合には（ステップ５０２にてＮＯ）、子機用制御部１４は、ステップ５０１の処理に戻り、患者が記憶操作を行うまで処理を継続する。一方、設定値が記憶部１６に記憶されていると子機用制御部１４にて判断した場合には（ステップ５０２にてＹＥＳ）、ステップ５０４の処理へ移行する。一方、医療従事者により記憶操作が行われたと子機用制御部１４にて判断した場合には（ステップ５０１にてＹＥＳ）、子機用制御部１４は、医療従事者を呼び出すか否かを判定するための範囲情報を記憶部１６に記憶し（ステップ５０３）、ステップ５０４の処理へ移行する。ステップ５０４の処理では、子機用制御部１４はセンサ部１３を動作させる。これに伴い、センサ部１３はコード部１１が受けた外部からの圧力を検知する。
【００３０】
子機用制御部１４は、患者により操作部１５が操作されたか否かの判定を行う（ステップ５０５）。患者により操作部１５が操作されていないと子機用制御部１４にて判断した場合には（ステップ５０５にてＮＯ）、子機用制御部１４は、センサ部１３からの検知信号を入力したか否かの判定を行う（ステップ５０６）。センサ部１３からの検知信号を入力していないと子機用制御部１４にて判断した場合には（ステップ５０６にてＮＯ）、子機用制御部１４は、ステップ５０５の処理に戻る。一方、センサ部１３からの検知信号を入力したと子機用制御部１４にて判断した場合には（ステップ５０６にてＹＥＳ）、子機用制御部１４は範囲演算部１８を動作させる。これに伴い、範囲演算部１８は、検知信号とともに入力した位置情報からセンサ部１３が圧力を検知した場所の範囲情報を求める（ステップ５０７）。
【００３１】
子機用制御部１４は、記憶部１６にて予め記憶しておいた範囲情報を取得する（ステップ５０８）。判定部１９は、範囲演算部１８が求めた範囲情報と記憶部１７に予め記憶しておいた範囲情報と比較し、センサ部１３が外部からの圧力を検知した場所の範囲が医療従事者を呼び出すと判断する範囲内であるか否かを判定する（ステップ５０９）。センサ部１３が外部からの圧力を検知した場所の範囲が医療従事者を呼び出すと判断する範囲内ではないと判定部１９にて判断した場合には（ステップ５０９にてＮＯ）、子機用制御部１４は、ステップ５０５の処理に戻る。
【００３２】
そして、患者により操作部１５が操作されたと子機用制御部１４にて判断した場合、または、センサ部１３が外部からの圧力を検知した場所の範囲が医療従事者を呼び出すと判断する範囲内であると判定部１９にて判断した場合には、（ステップ５０５にてＹＥＳ、またはステップ５０９にてＹＥＳ）、子機用制御部１４は、呼出信号を生成してナースコール親機３へ出力する（ステップ５１０）。
【００３３】
以上詳しく説明したように、本実施形態によるナースコール子機１は、外部からの圧力を検知した検知信号を、外部から圧力を検知した位置を示す位置情報とともにセンサ部１３にて出力する。そして、センサ部１３が外部からの圧力を検知した場所の範囲が医療従事者を呼び出すと判断する範囲内であると判定部１９にて判断した場合に、呼出信号を生成して出力するようにしている。これにより、患者が締め付けられるであろう体の部位の外周の長さの範囲内に所定の範囲を記憶しておけば、外部から圧力を検知した範囲が予め記憶しておいた範囲内である場合に呼出信号が出力されるので、コード部１１によって患者が締め付けられた場合に、医療従事者を呼び出すことができる。このことから、ナースコール子機１は、できるだけコード部１１により自身が締め付けられた場合にのみ医療従事者を呼び出すことができる。従って、医療従事者が無駄に呼び出されることはなくなり、医療従事者の業務効率を向上させることができる。
【００３４】
なお、前述した実施形態では、医療従事者は、図示しない入力部を使用して患者の首周りや胸部付近の周囲などの長さを範囲情報として記憶部１６に予め記憶しているが、これに限定されない。例えば、医療従事者は、コード部１１により締め付けられると予想される患者の体の部位にコード部１１を実際に巻き付け、そのときにセンサ部１３が外部からの圧力を検知した場所の範囲情報を記憶部１６に記憶するようにしても良い。
【００３５】
また、前述した実施形態では、子機用制御部１４、記憶部１６、範囲演算部１８、判定部１９は、操作ユニット１２に備えて構成されているが、これに限定されない。例えば、子機用制御部１４、記憶部１６、範囲演算部１８、判定部１９がコード部１１に備えて構成されるようにしても良い。
【００３６】
その他、ナースコール子機１の構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【図面の簡単な説明】
【００３７】
【図１】本実施形態によるナースコール子機を含むナースコールシステムのブロック図である。
【図２】本実施形態のコード部の断面例を示す説明図である。
【図３】本実施形態のコード部が患者に絡み付いている状態例を示す説明図である。
【図４】本実施形態のコード部が圧力を受ける範囲の例を示す説明図である。
【図５】本実施形態によるナースコール子機の動作を示す説明図である。
【符号の説明】
【００３８】
１    ナースコール子機
１１  コード部
１２  操作ユニット
１３  センサ部
１４  子機用制御部
１５  操作部
１６  記憶部
１７  子機用インタフェース（Ｉ／Ｆ）部
１８  範囲演算部
１９  判定部
１１ａ  操作ユニットに接続されている側のコード部（操作ユニット側コード部）
１１ｂ  ウォールユニットに接続されている側のコード部（ウォールユニット側コード部）
２    ウォールユニット
３    ナースコール親機
３１  親機用制御部
３２  親機用インタフェース（Ｉ／Ｆ）部
３３  報知部
Ｌ    芯線
Ｓ    被覆体
Ｃｓ  開始区間
Ｃｅ  終了区間
【図１】
2009178402.tif 000003
【図２】
2009178402.tif 000004
【図３】
2009178402.tif 000005
【図４】
2009178402.tif 000006
【図５】
2009178402.tif 000007